(57)【要約】 【課題】  採点を伴うカラオケの歌唱において、歌唱のモチベーションをあげるための褒賞を与えるカラオケシステムを提供する。【解決手段】  歌唱して獲得した得点の累積が、一定の閾値に達した時、ポイント等の電子的な褒賞ではなく、具体的な物品の褒賞によるプレミアムを与える。【選択図】  図１
2020194081.tif 000002
【特許請求の範囲】
【請求項１】
カラオケ装置が同一ネットワーク上に接続され、利用者を会員管理し、特定の１または複数の楽曲を対象に、歌唱回数をサーバで保存集計できるカラオケシステムにおいて、
当該カラオケ装置は、利用者固有のＩＤでログインして使用するリモコン端末によって制御することができ、歌唱回数に応じて、一定の褒賞である物品が得られ、当該物品の受け渡し情報の入力を当該リモコン端末の操作で行うネットワークカラオケシステム。
【請求項２】
前記請求項１のネットワークカラオケシステムにおいて、前記物品が歌唱した店舗にない場合、郵送で受け取ることを選択でき、送付先情報の入力、発送状況の確認を当該リモコン端末より行うことができることを特徴とする請求項1記載のネットワークカラオケシステム。
【発明の詳細な説明】
【技術分野】
【０００１】
本発明は、カラオケの歌唱結果に応じて褒賞を与える技術に関するものである。
【背景技術】
【０００２】
カラオケ装置における付加機能として、歌唱者の歌唱状況を採点してその採点結果として得点などをディスプレイに表示する歌唱採点機能がある。この歌唱採点機能は、楽曲歌唱終了時に１曲ごとに表示され、その点数を仲間同士で競ったり、練習することで上達して得点を上げていくという楽しみがあった。
【０００３】
しかし、このようなカラオケの採点機能は充実普及してきたが、楽曲歌唱についての採点結果に留まっており、採点結果を利用したエンタテインメントもすごろくゲーム等に留まっていた。
【０００４】
一方、歌唱結果を評価する技術も高度化してきているが、ネットワークカラオケシステムが会員管理を行い、会員の歌唱履歴も収集しているにもかかわらず、単発の歌唱に対する評価に留まっている。
楽曲を歌唱し、採点して得た得点を使って楽しむ試みは各社から行われている。
【先行技術文献】
【特許文献】
【０００５】
【特許文献１】特開平９−２６５２９３号公報
【特許文献２】特開平６−５１６９６号公報
【発明の概要】
【発明が解決しようとする課題】
【０００６】
特許文献１は、ゲームとカラオケ演奏とを連動させて楽しみを増したカラオケ装置を提供する。スゴロクゲーム盤をモニタに表示する。スゴロクゲームは、コマをスタートマスからゴールマスまで移動させるゲームである。各プレーヤーは装置から指示される条件でカラオケを歌唱する。カラオケ装置は、そのカラオケ歌唱を採点しその結果でコマを進める。ゴールするとプレーヤーが好きな曲を装飾照明や紙吹雪付きで歌うことができる。
【０００７】
特許文献２は、単独カラオケ歌唱者の場合、又は採点数を競う複数のカラオケ歌唱者の場合の採点の光輝表示の列に「一歩前進」「一歩後退」等の双六型ゲーム表示信号を潜ませて、ゲーム性を添えることを目的とするものである。
【０００８】
特許文献１、特許文献２ともいわゆる「すごろく」であり、得点によって駒を進めるゲームであり、歌唱者にとって得点を上げることで「得した」感があればもっと上達へのモチベーションになる。
【０００９】
今日のカラオケ業界には、カラオケ店を展開するカラオケチェーン店とカラオケ機器を提供する機器メーカの２つのプレイヤーがあり、会員管理もカラオケ店独自の会員、チェーン店ごとの会員、機器メーカごとの会員等さまざまな会員管理が存在する。
【００１０】
上記先行技術には、会員管理の言及はないため、１回きりの歌唱が採点の対象となっているが、会員管理を行っている昨今のネットワークカラオケの場合、利用者の歌唱回数や歌唱得点情報を、会員情報毎に通算してデータの蓄積ができるため、これらのデータを活用してカラオケをもっと楽しむことができるはずである。
【００１１】
また、上記会員管理を行って一定の点数をクリアした場合の褒賞をもらえると利用者の歌唱意欲が高まる。この場合、当該褒賞がポイント等の電子的なものは普通に行われている。
【００１２】
しかし、電子的なポイント等ではなく物品として賞品の受け渡しまで含めた提案はなかった。これはカラオケ店を営業する会社と、カラオケ機器を提供する会社が別々であるため、利用者に対してオンラインで会員ごとの点数等のデータ管理する機能と、オフラインで利用者に褒賞の物品を提供することの紐づけが難しかったためである。
【課題を解決するための手段】
【００１３】
上記の課題を解決するため本発明の請求項1は、
カラオケ装置が同一ネットワーク上に接続され、利用者を会員管理し、特定の１または複数の楽曲を対象に、歌唱回数をサーバで保存集計できるカラオケシステムにおいて、
当該カラオケ装置は、利用者固有のＩＤでログインして使用するリモコン端末によって制御することができ、
歌唱回数に応じて、一定の褒賞である物品が得られ、当該物品の受け渡し情報の入力を当該リモコン端末の操作で行うネットワークカラオケシステムである。
【００１４】
また本発明の請求項２は、
前記請求項１のネットワークカラオケシステムにおいて、前記物品が歌唱した店舗にない場合、郵送で受け取ることを選択でき、送付先情報の入力、発送状況の確認を当該リモコン端末より行うことができることを特徴とする請求項1記載のネットワークカラオケシステムである。
【発明の効果】
【００１５】
これにより、歌唱度数や採点結果の累積により褒賞が実際に手にとれる為、カラオケ利用者にとっては何度も歌唱する意欲が湧き、その結果、利用者が歌唱の上達にもなる。さらにカラオケ店にとっても稼働率が上昇するというメリットにつながり、これを機器メーカが提供する環境の中で褒賞品の受け渡しが完結するため、比較的軽微な手間で実現できる。
【図面の簡単な説明】
【００１６】
【図１】本発明のカラオケシステムのリモコン端末の画面１
【図２】本発明のカラオケシステムのリモコン端末の画面２
【図３】本発明のカラオケシステムのリモコン端末の画面３
【図４】本発明のカラオケシステムのリモコン端末の画面４
【図５】本発明のカラオケシステムのリモコン端末の画面５
【図６】本発明のカラオケシステムのリモコン端末の画面６
【図７】本発明のカラオケシステムのリモコン端末の画面７
【発明を実施するための形態】
【００１７】
本発明の実施にかかる「採点チャレンジ」のルールの一例を表示したリモコン端末の画面を図１に示す。
本実施例では、5分歌い、採点結果が80点の場合、ポイントは、
８０点ｘ５分＝４００ポイント
となる。
また、ステージをクリアするためには、
90点以上    条件なし
85点以上    ２０００ポイント
80点以上    ３０００ポイント
その他      ５０００ポイント
が必要となるとしている。
【００１８】
一定回数歌唱し、ステージをクリアした歌唱者では、図２のような画面となり、図２のアイコン２で獲得した物品（ここではコースター）を確認することができる。
アイコン２をタップすると図３、図４のような画面となる。
【００１９】
歌唱者はこの画面をカラオケ店のスタッフに提示し、スタッフは歌唱者に物品を渡して、図３のアイコン４をタップする。
その後、図４の画面になり、アイコン４はアイコン５になり物品を渡し済の表示となる。
【００２０】
また一定回数歌唱し、ステージをクリアした歌唱者は、希望すれば図１のアイコン３をタップすることにより図５へ遷移し、６のアイコンをタップすることにより図6の画面へ進み、送付先情報（氏名、郵便番号、住所、電話番号、メールアドレス）を入力することにより郵送の予約が可能となる。
商品の配送状況は例えば図７のような表示となる。
【００２１】
リモコン端末は多機能携帯端末（スマホ）のアプリで実現してもよい。
【符号の説明】
【００２２】
１    リモコン端末
２    「コースター一覧」アイコン
３    郵送説明部
４    「お渡ししました」アイコン
５    「済」アイコン
６    郵送指定アイコン
【図１】
2020194081.tif 000003
【図２】
2020194081.tif 000004
【図３】
2020194081.tif 000005
【図４】
2020194081.tif 000006
【図５】
2020194081.tif 000007
【図６】
2020194081.tif 000008
【図７】
2020194081.tif 000009